(57)【要約】【課題】本考案は残存型枠パネルに関し、型枠パネル本体の角度設定作業等施工が効率良く工期が短期間になり、施工後は高強度を発揮し、裏込材の側圧に抗してひび割れを生じたり、型枠パネル本体が崩落せずに構造堅牢になし、保守・管理も容易にする。【解決手段】型枠パネル本体１,1・・・に一端が取付けられ、他端が基礎コンクリート層部Ｋもしくは打込みコンクリート層部２のアンカー金具３に取付けられ、第１鉄筋部４Ａ1,４Ａ2・・・と第２鉄筋部４Ｂ1,４Ｂ2・・・との側面三角形の支持鉄筋４を介装して積み重ねた型枠パネル本体の背面に裏込材Ｕを詰め込んでコンクリート構造体Ａを構築する残存型枠パネルの型枠パネル本体は、内部に構造鉄筋材５を配筋し、背部には構造鉄筋材の一部をなす複数個の張出筋６Ａ・・；６Ｂ・・を突設し、長手方向に埋戻し構造配筋７,７が張出筋に架設され、埋戻し構造配筋に第１鉄筋と第２鉄筋の一端を取付ける。【選択図】図１
0003115887.tif 000002
【実用新案登録請求の範囲】
【請求項１】
（ａ）地山カット線に合わせて所望数段斜めに積み重ねられる型枠パネル本体の背面に一端が取付けられ、他端が積み重ねられる前記型枠パネル本体の背面側に設置する基礎コンクリート層部もしくは下段に配置する型枠パネル本体に対して略等しい高さまで逐次打設される打込みコンクリート層部の各積み重ね段数に対応する設置幅に下半分を埋設した所望列のアンカー金具に取付けられ、各段の前記型枠パネル本体毎に上下の下側に配置される第１鉄筋部と、上側に配置される第２鉄筋部とよりなる長さが長短異なる少なくとも２本が１対として任意挟角をもって側面三角形に組付けられる支持鉄筋を介装することにより所望数段積み重ねた型枠パネル本体の背面にコンクリート、割石等の裏込材を詰め込んでコンクリート構造体を構築する残存型枠パネルにおいて、
（ｂ）前記型枠パネル本体は、内部に構造鉄筋材を配筋し、背部には該構造鉄筋材の一部を上下に長手方向へ任意間隔をあけて複数個の張出筋を突設し、
（ｃ）該張出筋には長手方向に連続した埋戻し構造配筋が前記型枠パネル本体の背面に沿って架設され、
（ｄ）上下の該埋戻し構造配筋の所望位置に前記支持鉄筋の前記第１鉄筋と前記第２鉄筋の一端を振り分けて取付けることを特徴とする
（ｅ）残存型枠パネル。
【請求項２】
地山カット線に合わせて所望数段斜めに積み重ねられる型枠パネル本体の背面に一端が取付けられ、他端が積み重ねられる前記型枠パネル本体の背面側に設置する基礎コンクリート層部もしくは下段に配置する型枠パネル本体に対して略等しい高さまで逐次打設される打込みコンクリート層部の各積み重ね段数に対応する設置幅に下半分を埋設した所望列のアンカー金具に取付けられ、各段の前記型枠パネル本体毎に上下の下側に配置される第１鉄筋部と、上側に配置される第２鉄筋部とよりなる長さが長短異なる少なくとも２本が１対として任意挟角をもって側面三角形に組付けられる支持鉄筋を介装することにより所望数段積み重ねた型枠パネル本体の背面にコンクリート、割石等の裏込材を詰め込んでコンクリート構造体を構築する残存型枠パネルにおいて、
同段に積み重ねられる隣接する型枠パネル本体の同高さに配列される上下の前記埋戻し構造配筋は、連結筋を介して長手方向に連続して接続されることを特徴とする残存型枠パネル。
【請求項３】
地山カット線に合わせて所望数段斜めに積み重ねられる型枠パネル本体の背面に一端が取付けられ、他端が積み重ねられる前記型枠パネル本体の背面側に設置する基礎コンクリート層部もしくは下段に配置する型枠パネル本体に対して略等しい高さまで逐次打設される打込みコンクリート層部の各積み重ね段数に対応する設置幅に下半分を埋設した所望列のアンカー金具に取付けられ、各段の前記型枠パネル本体毎に上下の下側に配置される第１鉄筋部と、上側に配置される第２鉄筋部とよりなる長さが長短異なる少なくとも２本が１対として任意挟角をもって側面三角形に組付けられる支持鉄筋を介装することにより所望数段積み重ねた型枠パネル本体の背面にコンクリート、割石等の裏込材を詰め込んでコンクリート構造体を構築する残存型枠パネルにおいて、
前記型枠パネル本体の上部の埋戻し構造配筋は、上段に隣接して積み重ねられる型枠パネル本体の下部の埋戻し構造配筋に結合筋を介して上下方向に接続されるとともに前記型枠パネル本体の下部の埋戻し構造配筋は、下段に隣接して積み重ねられる型枠パネル本体の上部の埋戻し構造配筋に結合筋を介して上下方向に接続されることを特徴とする残存型枠パネル。
【考案の詳細な説明】
【技術分野】
【０００１】
本考案は残存型枠パネルに関し、例えば砂防ダム、治山ダム、擁壁、堰、防波堤、消波堤等のコンクリート構造体を型枠として施工現場に残存して敷設されたまま作業効率良く、構造堅牢に構築するものである。
【背景技術】
【０００２】
従来、例えば砂防ダム等の壁体の構築方法としては、施工現場においてそのまま敷設される型枠パネル（パネル状の埋設型枠）を地山カット面の前面に斜めに所望数段、積み重ね、その型枠パネルの背面に打込みコンクリート、割石、土砂等の裏込材を詰め込むことにより構築する方法がある。
【０００３】
そして、壁体の構築中に所望数段、斜めに積み重ねる型枠パネルを支持する従来方法として下記のようなものがある。先ず、この型枠パネルの背面の左右両側と、最下段の型枠パネルを敷設する基礎コンクリート層部、もしくは、下段に配置する型枠パネルに対して略等しい高さまで逐次裏込材として打設される各層毎の打込みコンクリート層部に下半部を埋設したアンカー金具とに仮支持材を長さを調節してからその両端を着脱自在に取付けることにより型枠パネルの設置角度を緩急調整する。その後、仮支持材が裏面に介装されることにより地山に対する設置角度が調整された型枠パネルの裏面略中央に前記仮支持材と同様構造の支持材としての斜材の長さを型枠パネルと基礎コンクリート部との間の設置距離に合わせて調節してからその斜材の両端を溶接する等して固定し、支持する。そして、斜材を型枠パネルの裏面に介装することにより型枠パネルの設置角度を決定した後は不用になった前記仮支持材を撤去する。それから、積み重ねられる各段の型枠パネル毎の裏面に裏込め材を詰め込む。この時、設置角度が決定されてから積み重ねられる各段の型枠パネル毎の裏面に支持される支持材としての斜材は、積み重ねが上段に行くに応じて長い長さのものが１本づつ使用されて支持を行うものである。しかも、下段の型枠パネルの支持に用いられる短い長さの斜材に対して上段の型枠パネルの支持に用いられる長い長さの斜材は後列に平行に配列されるものであった（特許文献１参照）。
【特許文献１】特開平８−１５８３５０号公報
【考案の開示】
【考案が解決しようとする課題】
【０００４】
しかしながら、特許文献１に記載の上記従来の壁体の構築方法は、先ず型枠パネルの設置角度を設定するのに、各段毎の型枠パネルの裏面の左右両側に仮支持材を設置長さを調整してから仮止めすることにより積み重ねを行うために型枠パネルの設置角度を設定しなければならない。その後、仮支持材が不用になった時には撤去しなければならないので、積み重ねられる各段毎の型枠パネルの角度設定作業に多くの時間と労力を必要とし、工事の工期が長期間になり、作業効率が著しく低いものであった。そして、壁体を構築するためには、仮支持材を必要にするので、保守・管理も容易ではなく、しかも、多大な設備費が必要になり、経済的に不利であった。
【０００５】
また、特許文献１に記載の上記従来の壁体の構築方法は、下段の型枠パネルの支持に用いられる短い斜材に対して上段の型枠パネルを支持するのに用いられる長い長さの斜材は後列に平行に配列されるので、壁体の建込み時または構築後に積み重ねられた型枠パネルの背面に詰め込まれた土砂等の裏込材の側圧が残存型枠パネルに裏面から加わると、支持材としての斜材は側圧に抗しきれず、残存型枠パネル相互間の目地材個所にひび割れを生じたり、積み重ねられた残存型枠パネルが崩落するという不都合な事態を生じ、構造的に脆弱であった。
【０００６】
本考案は上記従来の欠点を解決し、積み重ねられる各段毎の型枠パネル本体の角度設定作業をはじめ施工が多大な労力を要することなく短時間に作業効率良く行え、以て工事の工期が短期間になり、しかも、建込み時または施工後は高強度を発揮し、土砂等の裏込材の側圧が型枠パネル本体に裏面から加わった場合に、側圧に抗して型枠パネル本体相互間の目地材個所にひび割れを生じたり、積み重ねられた型枠パネル本体が崩落することなく構造堅牢になり、さらには、保守・管理も容易になり、多大な設備費を要せず、経済的に有利な残存型枠パネルを提供することを目的とする。
【課題を解決するための手段】
【０００７】
本考案は上記課題に鑑みなされたものであり、請求項１に記載の考案は、
（ａ）地山カット線に合わせて所望数段斜めに積み重ねられる型枠パネル本体の背面に一端が取付けられ、他端が積み重ねられる前記型枠パネル本体の背面側に設置する基礎コンクリート層部もしくは下段に配置する型枠パネル本体に対して略等しい高さまで逐次打設される打込みコンクリート層部の各積み重ね段数に対応する設置幅に下半分を埋設した所望列のアンカー金具に取付けられ、各段の前記型枠パネル本体毎に上下の下側に配置される第１鉄筋部と、上側に配置される第２鉄筋部とよりなる長さが長短異なる少なくとも２本が１対として任意挟角をもって側面三角形に組付けられる支持鉄筋を介装することにより所望数段積み重ねた型枠パネル本体の背面にコンクリート、割石等の裏込材を詰め込んでコンクリート構造体を構築する残存型枠パネルにおいて、
（ｂ）前記型枠パネル本体は、内部に構造鉄筋材を配筋し、背部には該構造鉄筋材の一部を上下に長手方向へ任意間隔をあけて複数個の張出筋を突設し、
（ｃ）該張出筋には長手方向に連続した埋戻し構造配筋が前記型枠パネル本体の背面に沿って架設され、
（ｄ）上下の該埋戻し構造配筋の所望位置に前記支持鉄筋の前記第１鉄筋と前記第２鉄筋の一端を振り分けて取付けることを特徴とする。
【０００８】
また、本考案の請求項２に記載の考案は、地山カット線に合わせて所望数段斜めに積み重ねられる型枠パネル本体の背面に一端が取付けられ、他端が積み重ねられる前記型枠パネル本体の背面側に設置する基礎コンクリート層部もしくは下段に配置する型枠パネル本体に対して略等しい高さまで逐次打設される打込みコンクリート層部の各積み重ね段数に対応する設置幅に下半分を埋設した所望列のアンカー金具に取付けられ、各段の前記型枠パネル本体毎に上下の下側に配置される第１鉄筋部と、上側に配置される第２鉄筋部とよりなる長さが長短異なる少なくとも２本が１対として任意挟角をもって側面三角形に組付けられる支持鉄筋を介装することにより所望数段積み重ねた型枠パネル本体の背面にコンクリート、割石等の裏込材を詰め込んでコンクリート構造体を構築する残存型枠パネルにおいて、
同段に積み重ねられる隣接する型枠パネル本体の同高さに配列される上下の前記埋戻し構造配筋は、連結筋を介して長手方向に連続して接続されることを特徴とする。
【０００９】
また、本考案の請求項３に記載の考案は、地山カット線に合わせて所望数段斜めに積み重ねられる型枠パネル本体の背面に一端が取付けられ、他端が積み重ねられる前記型枠パネル本体の背面側に設置する基礎コンクリート層部もしくは下段に配置する型枠パネル本体に対して略等しい高さまで逐次打設される打込みコンクリート層部の各積み重ね段数に対応する設置幅に下半分を埋設した所望列のアンカー金具に取付けられ、各段の前記型枠パネル本体毎に上下の下側に配置される第１鉄筋部と、上側に配置される第２鉄筋部とよりなる長さが長短異なる少なくとも２本が１対として任意挟角をもって側面三角形に組付けられる支持鉄筋を介装することにより所望数段積み重ねた型枠パネル本体の背面にコンクリート、割石等の裏込材を詰め込んでコンクリート構造体を構築する残存型枠パネルにおいて、
前記型枠パネル本体の上部の埋戻し構造配筋は、上段に隣接して積み重ねられる型枠パネル本体の下部の埋戻し構造配筋に結合筋を介して上下方向に接続されるとともに前記型枠パネル本体の下部の埋戻し構造配筋は、下段に隣接して積み重ねられる型枠パネル本体の上部の埋戻し構造配筋に結合筋を介して上下方向に接続されることを特徴とする。
【考案の効果】
【００１０】
本考案は、積み重ねられる各段毎の型枠パネル本体の角度設定作業をはじめ施工が多大な労力を要することなく短時間に作業効率良く行え、以て工事の工期が短期間になり、しかも、建込み時または施工後は高強度を発揮し、土砂等の裏込材の側圧が型枠パネル本体に裏面から加わった場合に、側圧に抗して型枠パネル本体相互間の目地材個所にひび割れを生じたり、積み重ねられた型枠パネル本体が崩落することなく構造堅牢になり、さらには、保守・管理も容易になり、多大な設備費を要せず、経済的に有利になる。
【考案を実施するための最良の形態】
【００１１】
以下図面に従い、本考案を実施するための最良の形態につき詳細を説明する。
【００１２】
図１は本考案の残存型枠パネルの実施形態１を示す施工状態の拡大断面図、図２は同じく背面図、図３は同じく背面より見た斜視図、図４は本実施形態１の残存型枠パネルを構成する拡大正面図、図５は同じく拡大背面図、図６は同じく水平拡大断面図、図７は同じく拡大断面図、図８は同じく背面方向から見た拡大斜視図である。
【００１３】
本実施形態１は、地山カット線Ｉに合わせて所望数段斜めに積み重ねられるコンクリートにより成形される型枠パネル本体１,１・・・の背面に一端が取付けられ、他端が積み重ねられる前記型枠パネル本体１,１・・・の背面側に設置する基礎コンクリート層部Ｋもしくは下段に配置する型枠パネル本体１に対して略等しい高さＨまで逐次打設される打込みコンクリート層部２の各積み重ね段数に対応する設置幅Ｗ１,Ｗ２・・・Ｗｎに下半分を埋設した所望列のアンカー金具３に取付けられ、各段の前記型枠パネル本体１,１・・・毎に上下の下側に配置される第１鉄筋部４Ａ1；４Ａ2・・・と、上側に配置される第２鉄筋部４Ｂ1；４Ｂ2・・・とよりなる長さＬ１,Ｌ２；Ｌ３,Ｌ４が長短異なる少なくとも２本が１対として任意挟角θ１,θ２・・・θｎをもって側面三角形に組付けられる支持鉄筋４を介装することにより所望数段積み重ねた型枠パネル本体１,１・・・の背面にコンクリート、割石等の裏込材Ｕを詰め込んでコンクリート構造体Ａを構築する残存型枠パネルにおいて、前記型枠パネル本体１,１・・・は、内部に構造鉄筋材５を配筋し、背部には該構造鉄筋材５の一部を上下に、長手方向Ｘへ任意間隔Ｐをあけて複数個の張出筋６Ａ,６Ａ・・・６Ａ；６Ｂ,６Ｂ・・・６Ｂを突設し、該張出筋６Ａ,６Ａ・・・６Ａ；６Ｂ,６Ｂ・・・６Ｂは長手方向Ｘに連続した埋戻し構造配筋７,７が前記型枠パネル本体１,１・・・の背面に沿って架設され、上下の該埋戻し構造配筋７,７の所望位置に前記支持鉄筋４の前記第１鉄筋部４Ａ1；４Ａ2・・・と、前記第２鉄筋部４Ｂ1；４Ｂ2・・・の一端を振り分けて取付けることを特徴とする。
【００１４】
また、必要に応じて最下段の型枠パネル本体１,１・・・の下面に高さ調整のために使用される高さ調整パネル１′,１′・・・は、前記型枠パネル本体１,１・・・と同様構造のものが使用される。
【００１５】
また、本実施形態１では、前記アンカー金具３は、図示では直線状の金属棒が使用されるが、これに限ることなく、図には示さないが、略Ｕ字状に折曲される鉄筋であってもよい。そしてこのアンカー金具３は、前記型枠パネル本体１,１・・・の各積み重ね段数に対応して型枠パネル本体１,１・・・の背面に設置幅Ｗ１,Ｗ２・・・Ｗｎを違えて所望列が列設される。この実施形態１では図１、図２に示すように、型枠パネル本体１,１は説明の便宜上２段積みする場合を代表的に図示しているので、アンカー金具３は型枠パネル本体１,１の背面に１段目用の型枠パネル本体１を支持鉄筋４を介して支持するためのアンカー金具３と、２段目用の型枠パネル本体１を支持鉄筋４を介して支持するためのアンカー金具３との２列が少なくとも基礎コンクリート層部Ｋに設けられている。
【００１６】
また、このアンカー金具３の設置個所は図示するものに限ることなく、例えば型枠パネル本体１,１・・・の積み重ね段数が多くなる場合には、下段に配置する型枠パネル本体１に対して略等しい高さＨまで逐次打設される単一の打込みコンクリート層部２に前記型枠パネル本体１,１・・・の各積み重ね段数に対応して設置幅Ｗ１,Ｗ２・・・Ｗｎにて所望列が列設される。
【００１７】
また、前記支持鉄筋４の第１鉄筋部４Ａ1,４Ａ2・・・と、第２鉄筋部４Ｂ1,４Ｂ2・・・との長さＬ１,Ｌ２;Ｌ３,Ｌ４は、地山カット線Ｉに合わせて積み重ねられる型枠パネル本体１,１・・・の設置角度αに応じて形成される。
【００１８】
また、前記第１鉄筋部４Ａ1；４Ａ2・・・と、前記第２鉄筋部４Ｂ1；４Ｂ2・・・とは、夫々の一端が所望列の前記アンカー金具３,３に任意挟角θ１,θ２・・・をもって取付けられるとともに、夫々の他端が前述のように所望段の型枠パネル本体１,１・・・の内部に配筋した構造鉄筋材５の一部を長手方向Ｘへ任意間隔Ｐをあけて上下に型枠パネル本体１,１・・・の背部に突設した複数個の張出筋６Ａ,６Ａ・・・６Ａ；６Ｂ,６Ｂ・・・６Ｂに対し、型枠パネル本体１,１・・・の背面に沿って架設した上下の埋戻し構造配筋７,７の所望位置に取付けられることにより斜めに切断した地山カット線Ｉに合わせて積み重ねる型枠パネル本体１,１・・・の設置角度αを決定し、型枠パネル本体１,１・・・を所望数段斜めに積み重ねる型枠パネル本体１,１・・・を容易に地山カット線Ｉに一致させて積み上げることができる。
【００１９】
前記型枠パネル本体１,１・・・内に配筋される前記構造鉄筋材５は、例えば図８に示すように本実施形態１では長手方向Ｘに配筋される４本の配力筋５Ａと、該配力筋５Ａに交叉して長手方向Ｘへ任意間隔Ｑをあけて配筋される４本の縦筋５Ｂとにより構成される。そして、これらの配力筋５Ａと縦筋５Ｂとを型枠パネル本体１,１・・・の内部に縦横に配筋することにより型枠パネル本体１,１・・・自体を引張力および圧縮力に対して構造堅牢にする。
【００２０】
前記張出筋６Ａ,６Ｂは、この実施形態１では前記縦筋５Ｂの上端および下端に型枠パネル本体１,１・・・の背部から長手方向Ｘに交叉する厚み方向Ｚに突設されるように上端および下端の余端部を背部に向けて断面略Ｌ字状に外側へ折曲してから再び内方へ折曲することにより前記張出筋６Ａ,６Ｂは、断面Ｕ字状乃至は断面Ｖ字状に閉鎖して形成されて外部に突設される。この突設出度合いは型枠パネル本体１,１・・・の大きさ、厚みＴに応じて適当に選択される。従って、この張出筋６Ａ,６Ｂを設置する間隔Ｑ′は、前記縦筋５Ｂを設置する間隔Ｑに一致する。
【００２１】
前記埋戻し構造配筋７,７は、型枠パネル本体１,１・・・の背面の上側および下側に４個づつ配した閉鎖状の前記張出筋６Ａ,６Ｂ内に長手方向Ｘに挿通して取付けられる（図５参照）。この埋戻し構造配筋７,７の取付個所は前記張出筋６Ａ,６Ｂの内側または外側の任意個所であるが、好ましくは張出筋６Ａ,６Ｂの内側頂部に取付けられることにより、埋戻し構造配筋７,７の型枠パネル本体１,１・・・の背面からの敷設距離ｌと、型枠パネル本体１,１・・・の上縁または下縁からの埋戻し構造配筋７,７の設置高さｈ１,ｈ２を適当に設定するとともに埋戻し構造配筋７,７の張出筋６Ａ,６Ｂに対する位置決めを高精度にして取付作業を簡便に行うためである。また、埋戻し構造配筋７,７の張出筋６Ａ,６Ｂに対する取付手段は、本実施形態１では溶接により行うようにしているが、これに限ることなく、金属線条材を用いて結束したり、図には示さないが接続金具と固定ねじとを用いて取付るようにしてもよい。
【００２２】
また、本実施形態１では、この埋戻し構造配筋７は、図示では上方の張出筋６Ａと、下方の張出筋６Ｂとに長手方向Ｘに１本づつを取付けているが、この埋戻し構造配筋７の設置個数は図示するものに限らず、複数本であってもよい。
【００２３】
図２において８は連結筋であり、この連結筋８は型枠パネル本体１,１・・・を長手方向Ｘに相互に連続して接続する際に同段に積み重ねられる隣接する型枠パネル本体１,１・・・の同高さに配列される上下の埋戻し構造配筋７,７相互を長手方向Ｘに連続して接続するためのものである。また、この連結筋８と埋戻し構造配筋７,７とは本実施形態１では溶接により行うが、これに限ることなく、金属線条材を用いて結束したり、図には示さないが接続金具を用いて取付けられる。
【００２４】
また、９は結合筋であり、この結合筋９は型枠パネル本体１,１・・・を相互に積み重ねる際に型枠パネル本体１,１・・・の上部の埋戻し構造配筋７は、上段に隣接して積み重ねられる型枠パネル本体１の下部の埋戻し構造配筋７に上下方向に接続されるとともに型枠パネル１,１・・・の下部の埋戻し構造配筋７は、下段に隣接して積み重ねられる型枠パネル本体１の上部の埋戻し構造配筋７に上下方向に接続するためのものである。この結合筋９と埋戻し構造配筋７,７とは本実施形態１では溶接により行うが、これに限ることなく、例えば金属線条材を用いて結束したり、図には示さないが接続金具を用いて取付けられる。
【００２５】
このように、各段の前記型枠パネル本体１,１・・・毎に控側の支持に使用される前記第１鉄筋部５Ａ1と前記第２鉄筋部５Ｂ1、また, 前記第１鉄筋部５Ａ2と前記第２鉄筋部５Ｂ2とは積み重ねられる前記型枠パネル本体１,１・・・に対して側面三角形に組付けられるので、下段に配置する型枠パネル本体１に対して略等しい高さＨまで逐次打設する打込コンクリート層部３であるとか、または割石、土砂等の裏込材Ｕの側圧Ｆが型枠パネル本体１,１・・・に裏面から加わると、その側圧Ｆによる型枠パネル本体１,１・・・に対する引張力が前記第１鉄筋部４Ａ1と前記第２鉄筋部４Ｂ1に、また、前記第１鉄筋部５Ａ2と前記第２鉄筋部５Ｂ2とに分圧Ｆ１,Ｆ２；Ｆ′１,Ｆ′２として夫々分散されて働くため、型枠パネル本体１,１・・・相互間の目地材個所にひび割れを生じたり、積み重ねられた型枠パネル本体１,１・・・が崩落することがなくなり、例えば砂防ダム、治山ダム、擁壁、堰、防波堤、消波堤等の構造堅牢なコンクリート構造体Ａを構築することができる。
【００２６】
１０はコンクリート構造体Ａを構築するために、地山１１を斜めに掘削したその掘削孔である。
【００２７】
本考案の実施形態１は以上の構成からなり、例えば砂防ダム、治山ダム、擁壁、堰、防波堤、消波堤等のコンクリート構造体Ａを構築するのには、型枠パネル本体１,１・・・を地山カット線Ｉに沿って所望数段斜めに積み重ねる。
【００２８】
これには、先ず地山１１を斜めに掘削してその掘削孔１０の底部に直接的に最下段の型枠パネル本体１,１・・・を地山カット線Ｉに合わせて斜めに、長手方向Ｘに連続的に敷設するか、または地山１１の掘削孔１０の底部にコンクリートを打設することにより所望高さに構築された基礎コンクリート層部Ｋの上面に最下段の型枠パネル本体１,１・・・を長手方向Ｘに地山カット線Ｉの傾斜に合わせて斜めに連続して敷設する。
【００２９】
この時、必要に応じて図１に示すように、最下段の型枠パネル本体１,１・・・の下面に高さ調整パネル１′,１′・・・を掘削孔１０の底部に敷設することにより高さを調整してから型枠パネル本体１,１・・・の積み重ね作業を行う。
【００３０】
すなわち、高さ調整パネル1′,１′・・・と型枠パネル本体１,１・・・の背面には該高さ調整パネル1′,１′・・・と型枠パネル本体１,１・・・の内部に配筋した構造鉄筋材５の一部を高さ調整パネル1′,１′・・・と型枠パネル本体１,１・・・の長手方向Ｘへ任意間隔Ｑ′をあけて上下に突設した複数個の張出筋６Ａ,６Ａ・・・６Ａ；６Ｂ,６Ｂ・・・６Ｂに埋戻し構造配筋７,７を前記高さ調整パネル1′,１′・・・と前記型枠パネル本体１,１・・・の背面に沿って長手方向Ｘに連続して架設しているので、先ず本実施形態１では高さ調整パネル1′,１′・・・の埋戻し構造配筋７,７のうち上側の埋め戻し構造配筋７の任意位置に下側に配置される短い長さＬ１の第１鉄筋部４Ａ1の一端を溶接等して取付けるとともにこの第１鉄筋部４Ａ1の他端を基礎コンクリート層部Ｋに各積み重ね段数に対応した設置幅Ｗ１にて下半部を埋設している図示のような直線状のアンカー金具３、または図示はしないＵ字状のアンカー金具３に容易に夫々溶接する。この時、埋戻し構造配筋７に対する第１鉄筋部４Ａ1の一端の溶接位置は、張出筋６Ａ,６Ａ・・・６Ａに対して埋戻し構造配筋７が交叉された接続位置が、位置決めと溶接作業がし易いことから便利である。
【００３１】
次いで、この高さ調整パネル1′,１′・・・の上面に１段目の型枠パネル本体１,１・・・を連続して積み上げる。それから、この１段目の型枠パネル本体１,１・・・の内部に配筋した構造鉄筋材５の一部を型枠パネル本体１,１・・・の長手方向Ｘへ任意間隔Ｑ′をあけて上下に突設した複数個の張出筋６Ａ,６Ａ・・・６Ａ；６Ｂ,６Ｂ・・・６Ｂに架設している埋戻し構造配筋７,７のうち、下側の埋戻し構造配筋７の任意位置に第１鉄筋部４Ａ1に対して任意挟角θ１にて第２鉄筋部４Ｂ1の一端を溶接等することにより取付けるとともにこの第２鉄筋部４Ｂ1の他端を基礎コンクリート層部Ｋに各積み重ね段数に対応する設置幅Ｗ１に下半部を埋設している図示のような直線状の前記アンカー金具３、または図示はしないＵ字状のアンカー金具３に容易に夫々溶接する。この時、埋戻し構造配筋７に対する第２鉄筋部４Ｂ1の一端の溶接位置は、張出筋６Ｂ,６Ｂ・・・６Ｂに対して埋戻し構造配筋７が交叉された接続位置が、位置決めと溶接作業がし易いことから便利である。
【００３２】
こうして、下側に配置される短い長さＬ１の第１鉄筋部４Ａ1と上側に配置される長い長さＬ２の第２鉄筋部４Ｂ1とは高さ調整パネル1′,１′・・・と、型枠パネル本体１,１・・・とに対して任意挟角θ１をなす側面三角形に組付けられることにより最下段の型枠パネル本体１,１・・・の設置角度αが決定され、型枠パネル本体１,１・・・を斜めに切断した地山カット線Ｉに合わせて最下段の型枠パネル本体１,１・・・を敷設することができる。
【００３３】
それから、同段の高さ調整パネル1′,１′・・・の背面上部に内部に配筋した構造鉄筋材５の一部を高さ調整パネル1′,１′・・・の長手方向Ｘへ任意間隔Ｑ′をあけて突設した同高さに配列した複数個の張出筋６Ａ,６Ａ・・・６Ａに架設している埋戻し構造配筋７相互を連結筋８を介して長手方向Ｘに連続して接続することにより高さ調整パネル1′,１′・・・相互を控側において連続して構造堅牢に接続するとともに控側における埋戻し構造配筋７,７相互の一体性をはかる。
【００３４】
また、高さ調整パネル1′,１′・・・の背面上部に内部に配筋した構造鉄筋材５の一部を高さ調整パネル1′,１′・・・の長手方向Ｘへ任意間隔Ｐをあけて突設した複数個の張出筋６Ａ,６Ａ・・・６Ａに架設している埋戻し構造配筋７と、１段目の型枠パネル本体１,１・・・の内部に配筋した構造鉄筋材５の一部を型枠パネル本体１,１・・・の長手方向Ｘへ任意間隔Ｑ′をあけて突設した複数個の張出筋６Ｂ,６Ｂ・・・６Ｂに架設している埋戻し構造配筋７とを結合筋９の上下を溶接する等して接続し、高さ調整パネル1′,１′・・・と１段目の型枠パネル本体１,１・・・との上下の一体性をはかるとともに埋戻し構造材として高さ調整パネル1′,１′・・・と１段目の型枠パネル本体１,１・・・との背面に突設した複数個の張出筋６Ａ,６Ａ・・・６Ａ；６Ｂ,６Ｂ・・・６Ｂに長手方向Ｘに架設している埋戻し構造配筋７,７相互の一体性をはかる。
【００３５】
その後、１段目の型枠パネル本体１,１・・・の上面に２段目の型枠パネル本体１,１・・・を連続して積み上げる。
【００３６】
そして、この２段目の型枠パネル本体１,１・・・の背面には該型枠パネル本体１,１・・・の内部に配筋した構造鉄筋材５の一部を型枠パネル本体１,１・・・の長手方向Ｘへ任意間隔Ｑ′をあけて上下に突設した複数個の張出筋６Ａ,６Ａ・・・６Ａ；６Ｂ,６Ｂ・・・６Ｂに埋戻し構造配筋７,７を前記型枠パネル本体１,１・・・の背面に沿って連続して架設しているので、埋戻し構造配筋７,７のうち下側の埋め戻し構造配筋７の任意位置に下側に配置される短い長さＬ３の第１鉄筋部４Ａ2の一端を溶接等して取付けるとともにこの第１鉄筋部４Ａ2の他端を基礎コンクリート層部Ｋに各積み重ね段数に対応した設置幅Ｗ２にて下半部を埋設している図示のような直線状のアンカー金具３、または図示はしないＵ字状のアンカー金具３に容易に夫々溶接する。
【００３７】
また、２段目の型枠パネル本体１,１・・・の内部に配筋した構造鉄筋材５の一部をこの型枠パネル本体１,１・・・の長手方向Ｘへ任意間隔Ｑ′をあけて上下に突設した複数個の張出筋６Ａ,６Ａ・・・６Ａ；６Ｂ,６Ｂ・・・６Ｂに架設している上下の埋戻し構造配筋７,７のうち、長い長さＬ４の第２鉄筋部４Ｂ2の一端を上側の埋戻し構造配筋７の任意位置に第１鉄筋部４Ａ2に対して任意挟角θ２にて溶接等することにより取付けるとともにこの第２鉄筋部４Ｂ2の他端を基礎コンクリート層部Ｋに各積み重ね段数に対応する設置幅Ｗ２にて下半部を埋設している図示のような直線状の前記アンカー金具３、または図示はしないＵ字状のアンカー金具３に容易に夫々溶接する。
【００３８】
こうして、下側に配置される短い長さＬ３の第１鉄筋部４Ａ2と上側に配置される長い長さＬ４の第２鉄筋部４Ｂ2とは型枠パネル本体１,１・・・に対して任意挟角θ２をなす側面三角形に組付けられることにより２段目の型枠パネル本体１,１・・・の設置角度αが決定され、型枠パネル本体１,１・・・を斜めに切断した地山カット線Ｉに合わせて２段目の型枠パネル本体１,１・・・を敷設することができる。
【００３９】
それから、１段目の型枠パネル本体１,１・・・の背面上部と、２段目の型枠パネル本体１,１・・・の背面下部に、それぞれ型枠パネル本体１,１・・・；１,１・・・の内部に配筋した構造鉄筋材５の一部、すなわち、型枠パネル本体１,１・・・の背部から長手方向Ｘに交叉する厚み方向Ｚに上端および下端の余端部を背部に向けて突設して断面略Ｌ字状に外側へ折曲してから再び内方へ折曲することにより断面Ｕ字状乃至は断面Ｖ字状に閉鎖して形成されて長手方向Ｘへ任意間隔Ｐをあけて突設された複数個の張出筋６Ａ,６Ａ・・・６Ａ；６Ｂ,６Ｂ・・・６Ｂに架設している埋戻し構造配筋７,７相互を連結筋８を介して長手方向Ｘに連続して接続することにより型枠パネル本体１,１・・・；１,１・・・相互を構造堅牢に接続するとともに控側において埋戻し構造配筋７,７相互の一体性をはかる。
【００４０】
また、１段目の型枠パネル本体１,１・・・の背面上部と、２段目の型枠パネル本体１,１・・・の背面下部とに、それぞれ型枠パネル本体１,１・・・；１,１・・・の内部に配筋した構造鉄筋材５の一部を型枠パネル本体１,１・・・；１,１・・・の長手方向Ｘへ任意間隔Ｑ′をあけて突設して同高さに配列した複数個の張出筋６Ａ,６Ａ・・・６Ａ；６Ｂ,６Ｂ・・・６Ｂに架設している埋戻し構造配筋７,７相互を結合筋９の上下を溶接する等して接続することにより、１段目の型枠パネル本体１,１・・・と２段目の型枠パネル本体１,１・・・との上下の一体性をはかるとともに１段目の型枠パネル本体１,１・・・と２段目の型枠パネル本体１,１・・・との背面に所望間隔Ｑ′をあけて突設した複数個の張出筋６Ａ,６Ａ・・・６Ａ；６Ｂ,６Ｂ・・・６Ｂと、この複数個の張出筋６Ａ,６Ａ・・・６Ａ；６Ｂ,６Ｂ・・・６Ｂに長手方向Ｘに架設されている埋戻し構造配筋７,７相互を控側において上下方向に一体化して後述のように割石、土砂等の裏込材Ｕ内に埋め込むことにより、埋戻し構造材として強度を発揮する。
【００４１】
以後、同様に順次積み重ねる型枠パネル本体１,１・・・の各段に対応する設置幅Ｗ３・・・Ｗｎにて基礎コンクリート層部Ｋに所望列が列設されたアンカー金具３に、各段の型枠パネル本体１,１・・・毎に上下の下側に配置される短い長さの第１鉄筋部４Ａ1,４Ａ2・・・と、上側に配置される長い長さの第２鉄筋部４Ｂ1,４Ｂ2・・・とよりなる長短長さを異にする前記第１鉄筋部４Ａ1,４Ａ2・・・と前記第２鉄筋部４Ｂ1,４Ｂ2・・・との夫々の一端を任意挟角θｎをもって取付け、第１鉄筋部４Ａ1,４Ａ2・・・と第２鉄筋部４Ｂ1,４Ｂ2・・・と夫々の他端を型枠パネル本体１,１・・・の背面に、該型枠パネル本体１,１・・・の内部に配筋した構造鉄筋材５の一部、すなわち、型枠パネル本体１,１・・・の背部から長手方向Ｘに交叉する厚み方向Ｚに上端および下端の余端部を背部に向けて突設して断面略Ｌ字状に外側へ折曲してから再び内方へ折曲することにより断面Ｕ字状乃至は断面Ｖ字状に閉鎖して形成されて長手方向Ｘへ任意間隔Ｑ′をあけて突設した複数個の張出筋６Ａ,６Ａ・・・６Ａ；６Ｂ,６Ｂ・・・６Ｂに架設している埋戻し構造配筋７,７相互を連結筋８を介して長手方向Ｘに連続して接続して型枠パネル本体１,１・・・；１,１・・・相互を構造堅牢に接続するとともに埋戻し構造配筋７,７相互の一体性をはかる。
【００４２】
また、この型枠パネル本体１,１・・・の長手方向Ｘへ任意間隔Ｑ′をあけて上下に突設した複数個の張出筋６Ａ,６Ａ・・・６Ａ；６Ｂ,６Ｂ・・・６Ｂに架設している上下の埋戻し構造配筋７,７を結合筋９を用いてそれぞれ溶接して取付けるという簡単な取扱い操作を繰り返して行うことにより斜めに切断した地山カット線Ｉに合わせて型枠パネル本体１,１・・・の設置角度αが迅速かつ確実に決定され、型枠パネル本体１,１・・・を所望数段斜めに積み重ねることができる。
【００４３】
そして、所望数段積み重ねた型枠パネル本体１,１・・・の背面にコンクリート、割石、土砂等の裏込材Ｕを詰め込むことにより例えば砂防ダム、治山ダム、擁壁、堰、防波堤、消波堤等の構造堅牢なコンクリート構造体Ａを構築することができる。
【００４４】
このように、図１の如く、各段の型枠パネル本体１,１・・・毎の支持に使用される前記第１鉄筋部４Ａ1,４Ａ2・・・と前記第２鉄筋部４Ｂ1,４Ｂ2・・・は積み重ねられる型枠パネル本体１,１・・・に対して側面三角形に組付けられるので、下段に配置する型枠パネル本体１,１・・・の裏面に打設する打込みコンクリート層部２であるとか、または詰め込まれた割石、土砂等の裏込材Ｕの側圧Ｆが型枠パネル本体１,１・・・に裏面から加わつた場合に、その側圧Ｆによる型枠パネル本体１,１・・・に対する引張力がそれぞれ第１鉄筋部４Ａ1,４Ａ2・・・と、前記第２鉄筋部４Ｂ1,５Ｂ2・・・とに、分圧Ｆ１,Ｆ２；Ｆ′１,Ｆ′２として夫々分散されて働くため、型枠パネル本体１,１・・・相互間の目地材個所にひび割れを生じたり、積み重ねられた型枠パネル本体１,１・・・が崩落することがなくなり、構造堅牢な例えば砂防ダム、治山ダム、擁壁、堰、防波堤、消波堤等のコンクリート構造体Ａを構築することができる。
【００４５】
このようにして構築された本実施形態１のコンクリート構造体Ａは、型枠パネル本体１,1・・・の内部に縦横に配筋した複数本の配力筋５Ａと縦筋５Ｂとよりなる構造鉄筋材５の一部、すなわち、型枠パネル本体１,１・・・の背部から長手方向Ｘに交叉する厚み方向Ｚに構造鉄筋材５の例えば縦筋５Ｂの上端および下端の余端部を背部に向けて突設して断面略Ｌ字状に外側へ折曲してから再び内方へ折曲することにより断面Ｕ字状乃至は断面Ｖ字状に閉鎖して形成されて長手方向Ｘへ任意間隔Ｑ′をあけて上下に突設された複数個の張出筋６Ａ,６Ａ・・・６Ａ；６Ｂ,６Ｂ・・・６Ｂと、この複数個の張出筋６Ａ,６Ａ・・・６Ａ；６Ｂ,６Ｂ・・・６Ｂに型枠パネル本体１,１・・・の背面に沿って任意間隔Ｑ′にて長手方向Ｘに架設している埋戻し構造配筋７,７と、型枠パネル本体１,１・・・毎に設けた上下の埋戻し構造配筋７,７の隣接する相互を連結筋８を介して長手方向Ｘに連続して接続するのと、結合筋９により積み重ねられる型枠パネル本体１,１・・・毎に設けた埋戻し構造配筋７,７相互を上下に接続することにより、割石、土砂等の裏込材Ｕ内に埋め込まれて埋戻し構造材として使用されるため、型枠パネル本体１,１・・・；１,１・・・相互は内部に埋め込まれた構造鉄筋材５自体により引張力および圧縮力に対して構造堅牢に接続されるとともにこの構造鉄筋材５と協同して前述のように裏込材Ｕ内に埋め込まれる張出筋６Ａ,６Ａ・・・６Ａ；６Ｂ,６Ｂ・・・６Ｂと、埋戻し構造配筋７,７と、連結筋８と、結合筋９とにより長手方向Ｘ、上下方向、厚み方向Ｚへと縦横に引張力および圧縮力に対して構造堅牢に積み重ねられ、強度を発揮して構造堅牢な例えば砂防ダム、治山ダム、擁壁、堰、防波堤、消波堤等のコンクリート構造体Ａを構築することができる。
【００４６】
上記説明では、積み重ねる各型枠パネル本体１,１・・・毎の取付に使用されるアンカー金具３の設置個所は、基礎コンクリート層部２に備えられた場合を代表的に説明したけれども、これに限ることなく、アンカー金具３の設置個所は、例えば型枠パネル本体１,１・・・の積み重ね段数が多くなる場合には、下段に配置する型枠パネル本体１に対して略等しい高さＨまで逐次打設される単一のコンクリート層部２にアンカー金具３を型枠パネル本体１,１・・・の各積み重ね段数に対応する設置幅Ｗｎにて所望列を設けることによりこれらの所望のアンカー金具３に各段の型枠パネル本体１,１・・・毎の第１鉄筋部４Ａ1,４Ａ2・・・と前記第２鉄筋部４Ｂ1,５Ｂ2・・・との末端側の一端を取付けることにより積み重ねられる型枠パネル本体１,１・・・に対して第１鉄筋部４Ａ1,４Ａ2・・・と前記第２鉄筋部４Ｂ1,５Ｂ2・・・とを側面三角形に組付けるようにすることも本考案の適用範囲である。
【産業上の利用可能性】
【００４７】
本考案は、積み重ねられる各段毎の型枠パネル本体の角度設定作業をはじめ施工が多大な労力を要することなく短時間に作業効率良く行え、以て工事の工期が短期間になり、しかも、建込み時または施工後は高強度を発揮し、土砂等の裏込材の側圧が型枠パネル本体に裏面から加わった場合に、側圧に抗して型枠パネル本体相互間の目地材個所にひび割れを生じたり、積み重ねられた型枠パネル本体が崩落することなく構造堅牢になり、さらには、保守・管理も容易になり、多大な設備費を要せず、経済的に有利になるという分野・用途に適する。
【図面の簡単な説明】
【００４８】
【図１】図１は本考案の残存型枠パネルの実施形態１を示す施工状態の拡大断面図である。
【図２】図２は同じく背面図である。
【図３】図３は同じく背面より見た斜視図である。
【図４】図４は本実施形態１の残存型枠パネルを構成する拡大正面図である。
【図５】図５は同じく拡大背面図である。
【図６】図６は同じく水平拡大断面図である。
【図７】図７は同じく拡大断面図である。
【図８】図８は同じく背面方向から見た拡大斜視図である。
【符号の説明】
【００４９】
１      型枠パネル本体
１′    高さ調整パネル
２      アンカー金具
４Ａ1   第１鉄筋部
４Ａ2   第１鉄筋部
４Ｂ1   第２鉄筋部
４Ｂ2   第２鉄筋部
４      支持鉄筋
５      構造鉄筋材
６Ａ    張出筋
６Ｂ    張出筋
７      埋戻し構造配筋
８      連結筋
９      結合筋
Ｉ      地山カット線
Ｘ      長手方向
Ｕ      裏込材
【図１】
0003115887.tif 000003
【図２】
0003115887.tif 000004
【図３】
0003115887.tif 000005
【図４】
0003115887.tif 000006
【図５】
0003115887.tif 000007
【図６】
0003115887.tif 000008
【図７】
0003115887.tif 000009
【図８】
0003115887.tif 000010